(57)【要約】【課題】入力装置におけるタッチペンのペンスイッチ状態を報知するために好適なペンスイッチ状態検出用部材を提供する。【解決手段】ペンスイッチ状態検出用部材である保持部材２０１は、タッチペン１４を挿入する孔２０２が穿孔され、タブレットディスプレイ１３から距離Ｈ１に設置される。孔２０２の孔径はタッチペン１４の最大径以下であり、タブレットディスプレイ１３からの距離Ｈ１は、孔２０２にタッチペン１４を挿入してタッチペン１４を孔径と一致する径の位置で保持した際に、その先端部がディスプレイ１３から０よりも大きい距離で、かつタブレットディスプレイ１３の検出範囲内を保つ距離である。ペンスイッチ状態検出用部材で保持された状態でタッチペン１４の入力位置を検出するか否かを確認することで、ペンスイッチ状態を確認する。【選択図】        図８
2005038090.tif 000002
【特許請求の範囲】
【請求項１】
先端部のペン軸を押込むことによってペンスイッチ状態がオンとなるタッチペンと、前記タッチペンが検出範囲内にあるときに前記タッチペンの存在を検知する検知部とを含んで構成される入力装置で用いる部材であって、
前記タッチペンを、前記検出範囲内であって、前記タッチペンの先端部が前記検知部にタッチしない所定の距離を保って保持する、ペンスイッチ状態検出用部材。
【請求項２】
少なくとも前記タッチペンと接触する箇所に、前記接触によって前記タッチペンが傷つかないよう保護する保護部材をさらに備える、請求項１に記載のペンスイッチ状態検出用部材。
【請求項３】
直径が前記タッチペンの最大径よりも小さい孔が穿孔された、前記検知部と略平行の、前記タッチペンを保持する保持面を含み、
前記検知部と前記保持面との距離は、前記タッチペンが前記検出範囲内であって、前記孔に挿入されて保持される前記タッチペンの先端部が前記検知部にタッチしない距離である、請求項１または２に記載のペンスイッチ状態検出用部材。
【請求項４】
先端部のペン軸を押込むことによってペンスイッチ状態がオンとなるタッチペンと、検出範囲内にある前記タッチペンの位置を検知するタブレットディスプレイとを含んで、前記ペンスイッチ状態がオンのときに検知された前記タッチペンの位置を入力位置と決定して本体装置に対して出力する入力装置の、ペンスイッチ状態を検知する方法であって、
前記検出範囲内であって、前記タッチペンの先端部が前記タブレットディスプレイにタッチしない所定の距離を保って前記タッチペンを保持するペンスイッチ状態検出用部材を、前記タブレットディスプレイ上に設置して前記ペンスイッチ状態を検知させる、ペンスイッチ状態検知方法。
【請求項５】
先端部のペン軸を押込むことによってペンスイッチ状態がオンとなるタッチペンと、検出範囲内にある前記タッチペンの位置を検知するタブレットディスプレイとを含んで、前記ペンスイッチ状態がオンのときに検知された前記タッチペンの位置を入力位置と決定して本体装置に対して出力する入力装置の、ペンスイッチ状態を検知する方法であって、
検出範囲内にある前記タッチペンの位置を検知する、前記タブレットディスプレイとは異なる検知部を備え、前記検知部の検出範囲内であって、前記タッチペンの先端部が前記検知部にタッチしない所定の距離を保って前記タッチペンを保持するペンスイッチ状態検出用部材を、前記タブレットディスプレイ以外の場所に設置して前記ペンスイッチ状態を検知させる、ペンスイッチ状態検知方法。
【請求項６】
先端部のペン軸を押込むことによってペンスイッチ状態がオンとなるタッチペンと、検出範囲内にある前記タッチペンの位置を検知するタブレットディスプレイとを含んで、前記ペンスイッチ状態がオンのときに検知された前記タッチペンの位置を入力位置と決定して本体装置に対して出力する入力装置の、ペンスイッチ状態を検知する方法であって、
前記検出範囲内であって、前記タッチペンの先端部が前記タブレットディスプレイにタッチしない所定の距離を保った、前記タッチペンの置き方を誘導する誘導ステップと、
前記タッチペンが前記置き方で置かれたときの前記ペンスイッチ状態を検知する検知ステップとを備える、ペンスイッチ状態検知方法。
【請求項７】
前記ペンスイッチ状態がオンであることを検知すると、報知手段によってその旨を報知する報知ステップをさらに備える、請求項４〜６のいずれかに記載のペンスイッチ状態検知方法。
【請求項８】
前記入力装置において前記タッチペンを用いて入力しない場面において前記報知を行なう、請求項７に記載のペンスイッチ状態検知方法。
【請求項９】
前記入力装置から予め決められた所定の位置が前記入力位置として前記本体装置に入力されると、前記タッチペンに不具合が発生していると判定する判定ステップをさらに備える、請求項４〜８のいずれかに記載のペンスイッチ状態検知方法。
【請求項１０】
前記入力装置において前記タッチペンを用いて入力しない場面において前記判定を行なう、請求項９に記載のペンスイッチ状態検知方法。
【請求項１１】
請求項１〜３のいずれかに記載のペンスイッチ状態検出用部材を備える写真自動販売機であって、
撮影画像の入力を受付ける画像入力手段と、
先端部のペン軸を押込むことによってペンスイッチ状態がオンとなるタッチペンと、
検出範囲内にある前記タッチペンの位置を検知し、前記ペンスイッチ状態がオンであるときの前記タッチペンの位置を入力位置と決定して前記撮影画像に対する編集操作を受付ける受付手段と、
前記編集された撮影画像を出力する出力手段とをさらに備えて、
前記ペンスイッチ状態検出用部材は前記タッチペンのペンスイッチ状態を検知するために用いられる、写真自動販売機。
【請求項１２】
撮影画像の入力を受付ける画像入力ステップと、
先端部のペン軸を押込むことによってペンスイッチ状態がオンとなるタッチペンが検出範囲内にあるときに前記タッチペンの位置を検知し、前記ペンスイッチ状態がオンであるときの前記タッチペンの位置を入力位置と決定して前記撮影画像に対する編集操作を受付ける受付ステップと、
前記編集された撮影画像を出力する出力ステップとを含む写真自動販売方法において、
請求項４〜１０のいずれかに記載のペンスイッチ状態検知方法に含まれる各ステップを備え、前記ペンスイッチ状態を検知することを特徴とする、写真自動販売方法。
【請求項１３】
先端部のペン軸を押込むことによってペンスイッチ状態がオンとなるタッチペンの、前記ペンスイッチ状態を取得する取得手段と、
前記タッチペンを、前記タッチペンの先端部が前記先端部に相対して設けられたタッチ面にタッチしないように前記タッチ面から所定の距離を保って保持する保持手段と、
前記取得手段で、前記保持手段で保持された前記タッチペンの前記ペンスイッチ状態がオンであることを取得すると、その旨を報知手段において報知するよう制御する制御手段とを備える、ペンスイッチ状態報知装置。
【発明の詳細な説明】
【０００１】
【発明の属する技術分野】
この発明はペンスイッチ状態検出用部材、ペンスイッチ状態検知方法、写真自動販売機、写真自動販売方法、およびペンスイッチ状態報知装置に関し、特に、入力装置を構成するタッチペンのペンスイッチ状態を検知することのできるペンスイッチ状態検出用部材、ペンスイッチ状態検知方法、写真自動販売機、写真自動販売方法、およびペンスイッチ状態報知装置に関する。
【０００２】
【従来の技術】
タブレットディスプレイをタッチして情報を入力する入力装置としてタッチペンが広く知られている。このようなタッチペンを含む入力装置は、たとえば特許文献１などに開示されているように、対価の受領を確認して被写体の撮影画像を入力し、入力画像を印刷して提供する写真自動販売機（いわゆるプリクラ（Ｒ）などと言われる）や、デジタルカメラや撮影機能付きの携帯電話などから画像を入力し、入力画像を画像処理してシールなどに印刷して提供するシール作成装置などの画像入力装置に、指示情報や画像を入力するために取付けられている。
【０００３】
タッチペンはタブレットディスプレイと一対となって入力装置を構成している。タッチペンを用いた入力装置は、タッチしたタブレットディスプレイ上の位置を検出することで情報を入力する装置であって、そのタッチした位置を検出する方法の違いにより、抵抗膜方式、電磁誘導方式、静電結合方式などを採用した入力装置が存在する。
【０００４】
抵抗膜方式は、通常はスペーサで分離されている電極が指やタッチペンで押圧されることにより接触し、電気が流れることにより位置を検出する方式である。また、電磁誘導方式は、その内部にコイルなどを含んで磁界を発生させる専用のタッチペンでタブレットディスプレイをタッチすると、タブレットディスプレイ側で検出範囲内にあるタッチペンよりその電磁エネルギを受取って磁界の変化を検知し、タッチされた位置を検出する方式である。さらに、静電結合方式は、タブレットディスプレイ上のＸ方向およびＹ方向に走査する透明電極と、検出範囲内にあるタッチペンとの間の静電結合による電位の変化によってタッチペンの位置を検出する方式である。
【０００５】
また、上述の電磁誘導方式あるいは静電結合方式を採用した入力装置で用いるタッチペンは、筒状のケースの先端にバネやゴムなどにより伸縮方向に動くペン軸を備えている。タッチペンでディスプレイなどを押すとペン軸が縮む方向に動き、入力装置が検出できる磁界や電位が変化する。この変化した状態をペンスイッチがオンとして上述の画像入力装置にペンスイッチの状態を知らせる。
【０００６】
一方、画像入力装置では、ペンスイッチがオンの場合に、同時に知らされたタッチペンの座標を受付け、画像入力などの制御を行なっている。
【０００７】
また、上述の画像入力装置では、上述のタッチペンなどの入力装置の動作をチェックするためのメンテナンスモードが備わっている場合がある。このメンテナンスモードは、店舗の店員などが施錠された扉を開けて、装置内部に備わる専用のメンテナンスボタンを押して起動させる必要がある。
【０００８】
【特許文献１】
特開２００２−１０２４９号公報
【０００９】
【発明が解決しようとする課題】
しかしながら、タッチペンが上述の構造である場合、タッチペン先端部からのほこりやごみなどの異物混入や、また、ペン軸の伸縮方向の移動による劣化や、衝撃や振動による破損などの原因で故障し、ペンスイッチがオンのままになってしまうことがある。このため、タッチペンがタッチされない状態であってもペンスイッチがオンのままだと、上述の電磁誘導方式あるいは静電結合方式を採用した入力装置の場合、タッチペンがタブレットディスプレイにタッチしてはいないが検出範囲内にある場合に、誤ってタッチペンの入力を検出し、検出信号が本体装置に送出される場合がある。その結果、タッチペンでの入力操作の操作性が低くなるという問題がある。
【００１０】
より具体的には、たとえば、前述の画像入力装置などの本体装置がタッチペンでタッチされた位置に線を描画する処理を行なう場合に、タッチペンに上述の故障が発生しているときには、図２３に示されるように、タッチペンがタブレットディスプレイから離れているにも関わらず検出範囲内にあるときには意図しない線が描画されてしまうという問題が発生する。このような場合、当該タッチペンにて全く入力操作ができないというわけではないので、ユーザには操作性の悪い装置という印象を与えてしまい、装置の稼動率が低下してしまう場合もある。
【００１１】
さらに、このような不具合は、タッチペンを用いた入力操作を行なっていない場面など、タッチペンが検出範囲外にあるときには発生しないため、タッチペンの故障に気付きにくく、素早い対処ができない場合もあるという問題がある。つまり、従来の装置はタッチペンのペンスイッチの状態を上述のメンテナンスモード以外に確認する手段を備えていないため、利用者または店員がタッチペンの不具合を容易に知ることができず、タッチペンの故障が放置されてしまう。このため利用者は不具合のあるタッチペンを使い続けることになり、利用者に満足のいく遊戯を提供できない場合があるという問題がある。
【００１２】
本発明はこのような問題に鑑みてなされたものであって、電磁誘導方式あるいは静電結合方式を採用した入力装置におけるタッチペンのペンスイッチ状態を容易に確認できる手段を設けることで、高い操作性を保つことのできるペンスイッチ状態検出用部材、ペンスイッチ状態検知方法、写真自動販売機、写真自動販売方法、およびペンスイッチ状態報知装置を提供することを目的とする。
【００１３】
【課題を解決するための手段】
上記目的を達成するために、本発明のある局面に従うと、ペンスイッチ状態検出用部材は、先端部のペン軸を押込むことによってペンスイッチ状態がオンとなるタッチペンと、タッチペンが検出範囲内にあるときにタッチペンの存在を検知する検知部とを含んで構成される入力装置で用いる部材であって、タッチペンを、検出範囲内であって、タッチペンの先端部が検知部にタッチしない所定の距離を保って保持する。
【００１４】
また、ペンスイッチ状態検出用部材は、少なくともタッチペンと接触する箇所に、接触によってタッチペンが傷つかないよう保護する保護部材をさらに備えることが好ましい。
【００１５】
また、ペンスイッチ状態検出用部材は、直径がタッチペンの最大径よりも小さい孔が穿孔された、検知部と略平行のタッチペンを保持する保持面を含み、検知部と保持面との距離は、タッチペンが検出範囲内であって、孔に挿入されて保持されるタッチペンの先端部が検知部にタッチしない距離であることが好ましい。
【００１６】
本発明の他の局面に従うと、ペンスイッチ状態検知方法は、先端部のペン軸を押込むことによってペンスイッチ状態がオンとなるタッチペンと、検出範囲内にあるタッチペンの位置を検知するタブレットディスプレイとを含んで、ペンスイッチ状態がオンのときに検知されたタッチペンの位置を入力位置と決定して本体装置に対して出力する入力装置の、ペンスイッチ状態を検知する方法であって、検出範囲内であって、タッチペンの先端部がタブレットディスプレイにタッチしない所定の距離を保ってタッチペンを保持するペンスイッチ状態検出用部材を、タブレットディスプレイ上に設置してペンスイッチ状態を検知させる。
【００１７】
本発明の他の局面に従うと、ペンスイッチ状態検知方法は、先端部のペン軸を押込むことによってペンスイッチ状態がオンとなるタッチペンと、検出範囲内にあるタッチペンの位置を検知するタブレットディスプレイとを含んで、ペンスイッチ状態がオンのときに検知されたタッチペンの位置を入力位置と決定して本体装置に対して出力する入力装置の、ペンスイッチ状態を検知する方法であって、検出範囲内にあるタッチペンの位置を検知する、上述のタブレットディスプレイとは異なる検知部を備えて、検知部の検出範囲内であって、タッチペンの先端部が検知部にタッチしない所定の距離を保ってタッチペンを保持するペンスイッチ状態検出用部材をタブレットディスプレイ以外の場所に設置してペンスイッチ状態を検知させる。
【００１８】
本発明のさらに他の局面に従うと、ペンスイッチ状態検知方法は、先端部のペン軸を押込むことによってペンスイッチ状態がオンとなるタッチペンと、検出範囲内にあるタッチペンの位置を検知するタブレットディスプレイとを含んで、ペンスイッチ状態がオンのときに検知されたタッチペンの位置を入力位置と決定して本体装置に対して出力する入力装置の、ペンスイッチ状態を検出する方法であって、検出範囲内であって、タッチペンの先端部がタブレットディスプレイにタッチしない所定の距離を保った、タッチペンの置き方を誘導する誘導ステップと、タッチペンが置き方で置かれたときのペンスイッチ状態を検知する検知ステップとを備える。
【００１９】
また、ペンスイッチ状態検知方法は、ペンスイッチ状態がオンであることを検知すると、報知手段によってその旨を報知する報知ステップを備えることが好ましい。
【００２０】
さらに、ペンスイッチ状態検知方法は、入力装置においてタッチペンを用いて入力しない場面において上述の報知を行なうことがより好ましい。
【００２１】
また、ペンスイッチ状態検知方法は、入力装置から予め決められた所定の位置が入力位置として本体装置に入力されると、タッチペンに不具合が発生していると判定する判定ステップを備えることが好ましい。
【００２２】
さらに、ペンスイッチ状態検知方法は、入力装置においてタッチペンを用いて入力しない場面において上述の判定を行なうことがより好ましい。
【００２３】
本発明のさらに他の局面に従うと、写真自動販売機は上述のペンスイッチ状態検出用部材を備える写真自動販売機であって、撮影画像の入力を受付ける画像入力手段と、先端部のペン軸を押込むことによってペンスイッチ状態がオンとなるタッチペンと、検出範囲内にあるタッチペンの位置を検知し、ペンスイッチ状態がオンであるときのタッチペンの位置を入力位置と決定して撮影画像に対する編集操作を受付ける受付手段と、編集された撮影画像を出力する出力手段とをさらに備えて、ペンスイッチ状態検出用部材はタッチペンのペンスイッチ状態を検知するために用いられる。
【００２４】
本発明のさらに他の局面に従うと、写真自動販売方法は、撮影画像の入力を受付ける画像入力ステップと、先端部のペン軸を押込むことによってペンスイッチ状態がオンとなるタッチペンが検出範囲内にあるときにタッチペンの位置を検知し、ペンスイッチ状態がオンであるときのタッチペンの位置を入力位置と決定して撮影画像に対する編集操作を受付ける受付ステップと、編集された撮影画像を出力する出力ステップとを含む写真自動販売方法において、上述のペンスイッチ状態検知方法に含まれる各ステップを備え、ペンスイッチ状態を検知することを特徴とする。
【００２５】
本発明のさらに他の局面に従うと、ペンスイッチ状態検知装置は、先端部のペン軸を押込むことによってペンスイッチ状態がオンとなるタッチペンの、ペンスイッチ状態を取得する取得手段と、タッチペンを、タッチペンの先端部が先端部に相対して設けられたタッチ面にタッチしないようにタッチ面から所定の距離を保って保持する保持手段と、取得手段で、保持手段で保持されたタッチペンのペンスイッチ状態がオンであることを取得すると、その旨を報知手段において報知するよう制御する制御手段とを備える。
【００２６】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００２７】
本実施の形態においては、本発明にかかる画像入力装置が写真自動販売機であるものとして説明を行なうが、画像入力装置は写真自動販売機に限定されるものではなく、画像を入力し、ユーザからの指示を受付けて入力された画像に対して画像処理や印刷処理などの処理を行なう他の装置であってもよい。
【００２８】
図１は、本実施の形態における写真自動販売機の外観の具体例を示す図である。写真自動販売機は、大きく分けて撮影操作を行なう側の面と、撮影後の画像にいわゆるお絵描きと言われる、画像や文字の入力であるお絵描き操作を行なう側の面とを対にして備えており、図１は、撮影操作を行なう面から写真自動販売機を見たときの外観の具体例を示す図である。
【００２９】
本実施の形態における写真自動販売機は、コンピュータ装置１０１やプリンタ１２、制御部１０２（基盤）（共に図３参照）などの各種機器類を収める筐体１と、筐体１と共に撮影ブース４（図２参照）を形成するパネルとフレーム材とを含む。図１においては、説明のために、パネルとフレーム材とを外した状態である筐体１の撮影操作側が示されている。
【００３０】
このような写真自動販売機において、被写体であるユーザは、筐体１、パネルおよびフレーム材にて構成される撮影スペースである撮影ブース４内に入り、筐体１に相対する向きで撮影を行なう。なお、以降の説明において、便宜上、筐体１の撮影操作側の面を正面とし、お絵描き操作側の面を背面とする。また、本実施の形態においては、被写体がユーザ（人）であるものとして説明を行なうが、被写体はユーザに限定されず、その他の物体であってもかまわない。また、被写体であるユーザは、１人であってもよいし、複数であってもよい。
【００３１】
図１を参照して、写真自動販売機の筐体１の正面には、カメラ２１と、カメラ２１で撮影された画像やデモ画面、撮影中の操作手順、ユーザへのアナウンスなどを表示するモニタ２２と、デモンストレーション（以下、「デモ」と略す）音声や、ＢＧＭ、操作方法などのアナウンスを出力する図示されないスピーカ２３ａと、対価である硬貨を投入するためのコイン投入口２６と、前面のメンテナンスなどを行なうためのフロントドア２８とが備えられる。
【００３２】
また、筐体１のカメラ２１の周囲には、蛍光灯やフラッシュなどを内蔵し、被写体の照明を行なうための照明ボックス１８ａ〜１８ｃが備えられている。また、筐体１の前面には、ユーザからの操作を入力する操作ボタン５１が備えられている。
【００３３】
モニタ２２は、当該写真自動販売機で実行されるプレイ方法（コース）の選択などの選択肢を表示する。ユーザは、操作ボタン５１を押下して選択を行なう。操作ボタン５１は、図１に示されるように、上下に選択肢の選択を移動させるカーソルボタンと、当該選択を決定する決定ボタンと、当該決定をキャンセルするキャンセルボタンとを含んで構成される。また、操作ボタン５１に同じ機能を備える複数のボタンが含まれる場合、たとえば図１に示されるように上下に移動させるカーソルボタンが複数組ある場合、それらは複数のユーザから同時に操作入力を受付けるものであってもよいし、モニタ２２の右側に表示している選択肢についての選択を右側の組の操作ボタンから受付けて、左側に表示している選択肢についての選択を左側の組の操作ボタンから受付けてもよい。
【００３４】
カメラ２１で撮影された画像はリアルタイムにモニタ２２に表示され、これによりユーザは撮影により得られる画像を視覚確認することができる。
【００３５】
カメラ２１としては、一般にデジタルカメラが用いられる。一般的なデジタルカメラで設定できる項目（たとえばシャッタスピード、絞り値、露出補正、ホワイトバランスなど）の変更や、撮影タイミングは、コンピュータ装置１０１（図３参照）から指示される。
【００３６】
なお、本実施の形態にかかる写真自動販売機は上述のようにカメラ２１を備えて撮影を行なうものとしたが、カメラ２１に替えて、画像を記録したＣＤ−ＲＯＭ（Ｃｏｍｐａｃｔ  Ｄｉｓｃ−Ｒｅａｄ  Ｏｎｌｙ  Ｍｅｍｏｒｙ）などの記録媒体から画像を読取る機能や、デジタルカメラやカメラ機能付き携帯電話などの撮影装置に備えられる記憶装置から撮影画像を取得する機能などを備えて、他の装置から取得した画像に対してカメラ２１で撮影した画像に対する処理と同様の処理を行なってもよい。
【００３７】
さらに、筐体１の上面には、筐体１内部の熱を逃がすためのファンや、外部装置への画像の配信、リモートメンテナンスなどの、外部装置との通信を行なうときにケーブルを差込むためのＬＡＮ（Ｌｏｃａｌ  Ａｒｅａ  Ｎｅｔｗｏｒｋ）ケーブル差込口などが備えられていることが好ましい。なお、このようなファンは、筐体１内部の熱を逃がす目的で備えられるものであるため、筐体１の上面に限定されず、熱を発生しやすい機器類の近傍などの他の場所に備えられても、また複数備えられてもかまわない。また、ＬＡＮケーブル差込口が備えられる位置も、ケーブルの配線の取回しが容易な位置であれば筐体１の上面に限定されない。
【００３８】
また、撮影ブース４を構成する図示されないパネルが木製である場合には、パネルは左側面、右側面、背面、および天井面などに大きく分割される。さらに、背面のパネルは大きいことから、上下または左右に２枚に分割されている場合がある。また、撮影ブース４の内部となるパネルの内面は、照明の反射による間接光を得ることを目的とする場合は白色、逆に光を吸収させたいときは黒色、クロマキー合成を行なう目的のときは青色などの色彩が施される。すなわち、パネルの内面の色は、写真自動販売機においてどのような撮影を行なうかによって、設計開発時に適宜選ばれる。また、パネルは、布またはビニール材等で代替することもでき、その場合には、フレーム材にたるみなく張られた状態で固定される。
【００３９】
また、撮影ブース４内には図示されない背景カーテンが配備され、撮影時の背景として用いられる。背景の色によって、被写体の写り方、特に色調が変ってくるため、さまざまな色、柄のカーテンが複数枚用意されている。また、背景カーテンが備えられていなくても構わない。さらに、背景カーテンは、巻上げ式、引出し方式など、ユーザの手動操作によりセットされてもよいし、操作ボタン５１等を操作することで自動でセットされてもよい。また、背景カーテンは、さまざまな種類が配備されることで、撮影における遊びの要素ともなり得る。
【００４０】
また、ユーザが撮影ブース４内に出入りできるように写真自動販売機の側面は開けられているが、他の人に撮影している場面を見られたくないなどの利用者の気持ちに配慮するため、また外部光を遮断するためなどの目的で、その側面に図示されないサイドカーテンが備えられている。なお、撮影ブースへの出入りが一方の側面のみである場合には、その側面にのみサイドカーテンが備えられる。また、両側面から出入りできる場合には、両側面にサイドカーテンが備えられていてもよい。ユーザは、撮影を行なう際には、このサイドカーテンを開けて撮影ブース４に入り、撮影時はサイドカーテンを閉める。なお、サイドカーテンの裏面（撮影ブース４の内側）の色等は、背景カーテンやパネル内面と同様の理由で適宜選ばれる。
【００４１】
次に、図２に、写真自動販売機を筐体１の背面（お絵描き操作を行なう面）から見たときの外観の具体例を示す。
【００４２】
図２を参照して、写真自動販売機の筐体１の背面には、撮影により得られた画像を表示し、画像の編集を受付けるタブレットディスプレイ１３と、画像入力を行なうためのタッチペン１４と、ユーザに対し音楽や操作方法の説明などを音声で出力するスピーカ２３ｂとが備えられる。
【００４３】
タブレットディスプレイ１３は撮影後の画像を表示する。また、ユーザより、撮影により得られた画像に対してタッチペン１４を用いた編集入力（落書き）を受付ける。
【００４４】
タッチペン１４は、ペン形状の入力装置であって、タブレットディスプレイ１３にタッチすることで、背景、スタンプ、フレームなどの画像や文字の入力、または使用する項目（ボタン）の選択、操作の選択などの入力をすることができる。タッチペン１４は、写真自動販売機に１本備えられていてもよいし、図２に示されるように複数備えられ、同時に複数のユーザからの入力操作を可能にしてもよい。
【００４５】
さらに図２を参照して、写真自動販売機の筐体１の側面には、箱型の形状を奏したプリント取出口９が備えられる。筐体１の内部にはプリンタ１２が備えられ、プリンタ１２でプリントされた写真は排出され、ここに落とされる。
【００４６】
プリント取出口９は、そこに落とされた写真が、ユーザが手にするまで地面に落ちない等の作用を奏するものであればその形状は限定されない。たとえば、筐体１の内部方向に窪んだ箱状の空間と筐体１の側面に沿う方向に取付けられた蓋とで形成されていてもよい。なお、プリント取出口９付近には、印刷中ＬＥＤ（Ｌｉｇｈｔ  Ｅｍｉｔｔｉｎｇ  Ｄｉｏｄｅ）１０および印刷エラーＬＥＤ１１が備えられ、それらが点灯あるいは点滅することによって、印刷中、あるいは印刷中に用紙切れ、インク切れ、用紙詰り、メカニカルエラーなどのエラーが発生していることを通知する。
【００４７】
プリンタ１２は、撮影された画像を紙やシールや金属やプラスチックなどの印刷媒体に印刷するためのプリンタであって、昇華型プリンタやサーモオートクローム方式（光定着型直接感熱記録方式）等のプリンタが一般的に用いられる。なお、本実施の形態においては、プリンタ１２でシールが印刷されるものとして説明を行なうが、印刷媒体はシールに限定されず、上に示す他の印刷媒体であっても同様の処理が実行される。
【００４８】
次に、図３に、本実施の形態における写真自動販売機の機能ブロック図を示し、写真自動販売機の機能について説明する。
【００４９】
図３を参照して、写真自動販売機は、当該写真自動販売機を動作させるためのコンピュータ装置１０１と、基板から構成され動作中のコンピュータ装置１０１からの指示を受付けて、接続されている各種装置を制御する制御部１０２とを備える。
【００５０】
上述のコンピュータ装置１０１は、コンピュータ装置１０１の制御を行なう演算装置であるＣＰＵ（Ｃｅｎｔｒａｌ  Ｐｒｏｃｅｓｓｉｎｇ  Ｕｎｉｔ）と、装置を動作させるためのプログラムおよびプログラムで必要なグラフィックデータ、音声データ、撮影された画像、撮影画像に対して入力した編集画像、およびその他の各種画像などを記憶する記憶装置と、プログラムの一時的な作業領域ともなるメモリと、カメラ２１、プリンタ１２、タブレットディスプレイ１３、およびモニタ２２などの周辺機器を制御するためのソフトウェアであるドライバと、ＬＡＮケーブルを介して外部機器と接続された場合に通信を行なう通信部とを含んで構成され、記憶装置に記憶されているプログラムを読出して実行することで、カメラ２１での撮影、プリンタ１２での印刷、タブレットディスプレイ１３とタッチペン１４とで構成される入力装置１００からの検出信号の入力、モニタ２２での表示、およびサウンドボードを介してスピーカ２３での出力を制御する。また、その際、コンピュータ装置１０１は必要に応じてタイマ２５に計時を行なわせ、計時された時間をタイマ２５から取得する。なお、コンピュータ装置１０１は、電源スイッチ２９が押され、当該写真自動販売機に電源プラグより電源が投入されると、上記プログラムが起動されて動作する。
【００５１】
また、写真自動販売機は、電源を必要とするカメラ２１、プリンタ１２、および照明装置３０などの電源系統を制御する電源制御部１０３を備え、外部からそれらの装置に対する電源の電圧を安定させるよう制御する。さらに、そのような電源の投入および切断は、電源スイッチ２９を押すことで行なわれる。しかし、電源切断によりコンピュータ装置１０１で動作しているプログラムを強制的に終了させることは、動作を不安定にさせる原因となる。そのため、電源が落とされても、しばらくはＵＰＳ（Ｕｎｉｎｔｅｒｒｕｐｔｅｄ  Ｐｏｗｅｒ  Ｓｕｐｐｌｙ）１０４が電源をバックアップし、コンピュータ装置１０１や制御部１０２などに停電信号を送信する。その間に、コンピュータ装置１０１はプログラムの終了の手続を行ない、プログラムを正常に終了させる。
【００５２】
上述の制御部１０２は、サービスパネル１０５から制御信号を受付ける。サービスパネル１０５は、投入されたコインの枚数をカウントするコインカウンタ、印刷されたプリントの枚数をカウントするプリントカウンタ、スピーカ２３から出力する音声のボリュームを調整する音量調整つまみ、テストモードを行なうためのテストボタン、および対価を受付けなくても装置が利用できるようにするためのサービスボタン等を備えるパネルであって、当該写真自動販売機の設置者が各種設定やメンテナンスの操作を行なう際に用いる。サービスパネル１０５は、テストボタン、サービスボタンが押下されたことを示す信号を制御部１０２に送る。逆に、制御部１０２からの制御信号により、コインカウンタ、プリントカウンタを動作させる（たとえばカウンタを１インクリメントする）。また、コンピュータ装置１０１からサウンドボードを介してスピーカ２３に出力された音声信号は、サービスパネル１０５上の音量調整つまみで調整された音量でスピーカ２３から出力される。
【００５３】
また、制御部１０２は、操作ボタン５１、サービスパネル１０５、およびコイン制御部１０７からの信号を受付けコンピュータ装置１０１に通知したり、逆に、コンピュータ装置１０１からの制御信号（指示コマンドなど）によりサービスパネル１０５、照明装置３０、コイン制御部１０７、印刷中ＬＥＤ１０、および印刷エラーＬＥＤ１１を制御したりする。
【００５４】
コイン制御部１０７は、コイン投入口２６に投入されたコインの正当性を検出し、制御部１０２にコインが投入されたことを示す信号を送る。逆に、コイン投入を禁止するときは、コイン制御部１０７は制御部１０２からの制御信号により、コインが投入されないようにコイン投入口２６をブロックすることができる。あるいは、当該写真自動販売機がコイン投入口２６に替わる対価の受付機能を備える場合（たとえば、電子的に対価を受付ける読取装置など）、コイン制御部１０７は上述の対価の受付機能により受付けた対価の正当性を検出して、対価を受付けたことを示す信号を制御部１０２に送る。
【００５５】
操作ボタン５１は、ユーザから受付けた指示内容を指示信号として制御部１０２に入力する。コンピュータ装置１０１では、操作ボタン５１から指示信号を受付けて、操作内容に応じた処理を実行する。
【００５６】
タブレットディスプレイ１３はコンピュータ装置１０１から出力された表示情報を表示すると共に、タッチペン１４と対になって入力装置１００として機能する。
【００５７】
さらに、プリンタ１２は、当該プリンタ１２の状態をコンピュータ装置１０１に通知する。コンピュータ装置１０１は、その状態に応じて制御部１０２に信号を送出する。制御部１０２は、コンピュータ装置１０１から入力された信号によって、印刷中ＬＥＤ１０または印刷エラーＬＥＤ１１を点灯または点滅させる。
【００５８】
なお、言うまでもなく、写真自動販売機の形態は図１〜図３に示される具体例に限定されるものではない。すなわち、図１〜図３に記載されない他の機能が備えられていてもよいし、図１〜図３に記載されている機能の必ずしもすべてが備えられていなくても構わない。たとえば、プリンタ１２は写真自動販売機に含まれていなくてもよく、その場合、写真自動販売機は、ＬＡＮ等の専用回線や無線通信等を介して印刷制御信号をプリンタ１２に出力するものとする。
【００５９】
次に、図４のフローチャートを用いて、本実施の形態における写真自動販売機での処理について説明する。図４のフローチャートに示される処理は、コンピュータ装置１０１のＣＰＵが、記憶装置に記憶されるプログラムをメモリに読出して実行することによって実現される。
【００６０】
まず、当該写真自動販売機に備わる電源スイッチ２９が投入されると、各種装置の電源が投入される。すると、コンピュータ装置１０１の記憶装置に格納された動作プログラムが起動する。コンピュータ装置１０１は動作プログラムを実行することで、始めに各種装置が正常に接続されているかチェックし、初期化が必要な装置に対しては初期化を実行する。その後、当該写真自動販売機の利用を促すタイトルデモをモニタ２２に表示し、タブレットディスプレイ１３には撮影を先に行なう旨の待機画面を表示する。同時に音声をスピーカ２３から出力する（Ｓ１０１）。
【００６１】
タイトルデモが表示されている状態で、サービスパネル１０５において、テストボタンが押下されたことを検出すると（Ｓ１０３でＹＥＳ）、当該写真自動販売機のメンテナンスを行なうためのテストモードを起動し、種々の設定を受付ける（Ｓ１０５）。
【００６２】
テストモードは、写真自動販売機の設置者が写真自動販売機を操作するためのモードであり、このモードにおいては当該写真自動販売機の利用状況（たとえばコイン投入数など）の確認や、カメラ２１、プリンタ１２など周辺機器の調整ができる。ここで写真自動販売機の設置者とは、当該写真自動販売機を設置し営業を行なっている店舗などの経営者、管理者、および従業員であり、営業中に、利用者に対応できるものである。
【００６３】
一方、コイン制御部１０７において当該写真自動販売機を利用するためのコインがコイン投入口２６から投入されたことなど、対価の受付を検出すると（Ｓ１０３でＮＯ、かつＳ１０７でＹＥＳ）、コンピュータ装置１０１は、以降のプレイを開始する。
【００６４】
始めに、コンピュータ装置１０１のＣＰＵは、コース選択画面をモニタ２２に表示し、以降のプレイの方法であるコースの選択を受付ける（Ｓ１０９）。動作プログラムには、各々のコースに対応する処理が用意されており、コンピュータ装置１０１のＣＰＵは、ステップＳ１０９での選択結果に応じた処理に分岐して実行する。
【００６５】
次に、コンピュータ装置１０１のＣＰＵは、ステップＳ１０９で選択されたコースに応じた処理を実行し、カメラ２１が取得する撮影画像を、モニタ２２にリアルタイムに表示する（Ｓ１１１）。ステップＳ１１１で撮影画像がモニタ２２にリアルタイムに表示されることで、ユーザは、モニタ２２に表示される画像を見ながら、好みの表情やポーズをとることができる。なお、ここではカメラ２１が取得した画像をそのままモニタ２２に表示してもよいし、左右に反転処理して表示してもよい。左右に反転処理して表示した場合、ユーザの姿を鏡に写す方向と同じ方向でモニタ２２に表示することができる。そのため、ユーザは、モニタ２２を見ながら好みの表情やポーズをとることが容易になる。
【００６６】
さらにユーザは、モニタ２２に表示される操作画面（図示せず）およびスピーカ２３から流れる音声に従って、背景カーテンの選択をしたり、カメラ２１を好みの位置に移動させたり、カメラ２１を回転、または向きを調整したりすることができる。これらの指示は、操作ボタン５１などで受付ける。さらに、カメラ２１の近傍などにカメラ２１の向きやズーム等の指示を行なうボタンなどが備えられる場合には、それによってカメラ２１の向きやズーム等の指示を受付ける。
【００６７】
コンピュータ装置１０１はカメラ２１に撮影信号を送信しカメラ２１がその撮影信号に応じてシャッタを切ることで、カメラ２１からコンピュータ装置１０１の記憶装置に静止画像が取込まれる。撮影のタイミングは、コンピュータ装置１０１が動作プログラムにしたがって所定のタイミングで自動的に撮影信号をカメラ２１に送信し、時間経過と共に「３、２、１」などのカウントダウンをモニタ２２あるいはスピーカ２３に出力してユーザに通知してもよい。あるいは、撮影画面を見ながら任意のタイミングでユーザが操作ボタン５１を押すことで、コンピュータ装置１０１が制御部１０２を介して操作ボタン５１からの指示信号を受信し、指示信号を受信したタイミングで撮影信号をカメラ２１に送信してもよい。ステップＳ１１１では、このような撮影を所定回数繰返し行なう。
【００６８】
なお、ステップＳ１１１において、フレームや背景の選択も同時に受付けてもよい。あるいは、ステップＳ１１１以前に編集用画像である背景画像やフレーム画像（前景画像）の選択を受付けている場合、コンピュータ装置１０１はモニタ２２に撮影画像と共に表示してもよい。これは、ＣＰＵが記憶装置から所定の編集用画像を読出し、モニタ２２に表示するためのメモリ上の画層であって、撮影画像を表示するための画層とは異なる画層に編集用画像を置くことで実現される。また、コンピュータ装置１０１において、撮影画像と編集用画像との合成処理を実行して表示してもよい。
【００６９】
ステップＳ１１１において所定枚数、あるいは所定時間の撮影が終了すると、コンピュータ装置１０１は、制御部１０２を介して撮影された複数の撮影画像の中から以降の処理に用いる画像の選択を受付ける（Ｓ１１３）。
【００７０】
次に、コンピュータ装置１０１は、ステップＳ１１３で選択された各撮影画像に対して明るさ調整を実行する（Ｓ１１５）。
【００７１】
次に、コンピュータ装置１０１は、ステップＳ１１３で選択された撮影画像であって、以降の編集処理を行なった後に印刷するためのシールレイアウトを決定する（Ｓ１１７）。
【００７２】
次に、コンピュータ装置１０１は、ステップＳ１１３で選択された各撮影画像に対する編集入力を受付ける（Ｓ１１９）。編集入力を終了すると、コンピュータ装置１０１は撮影された画像と編集入力された画像とを合成し、ステップＳ１１７で選択されたシールレイアウトにしたがって印刷画像データを生成してプリンタ１２に出力させる（Ｓ１２１）。なお、その際、ユーザから、シール等の印刷媒体に印刷する画像の選択を受付けてもよい。また、編集入力に失敗した画像などを印刷しないような選択を受付けてもよい。
【００７３】
以上の処理が、１組のユーザが本実施の形態の写真自動販売機で行なう一連のプレイである。そして、上述の処理を終了すると、次に対価の受付が検出されるまで、再度タイトルデモをスピーカ２３、モニタ２２、およびタブレットディスプレイ１３から出力し、対価の受付が検出されると再び上述の処理を繰返す。
【００７４】
なお、上述のプレイ順においてはステップＳ１１９の編集入力以前にステップＳ１１７のシールレイアウトの選択を行なうものとしているが、プレイ順はこの順に限定されるものではなく、編集入力終了後にシールレイアウトの選択を行なってもよい。
【００７５】
上述の一連のプレイのうち、ステップＳ１１９での編集入力を含むいくつかの操作、たとえばステップＳ１１３での写真選択やステップＳ１１５での明るさ調整やステップＳ１１７でのシールレイアウト選択などが、お絵描き操作側でタッチペン１４とタブレットディスプレイ１３とからなる入力装置１００を用いて行なわれる。上の処理のうち、ステップＳ１１９での編集入力について、表示画面の具体例を挙げながら詳細に説明する。
【００７６】
すなわち、ステップＳ１１９での編集入力では、コンピュータ装置１０１は、図５に示されるような編集画面をタブレットディスプレイ１３に表示し、ユーザから、編集入力に用いる編集の種類（ツール）の選択や、編集用画像の選択や、編集用画像を入力する位置の指定などをタッチペン１４で受付ける。
【００７７】
図５に示される編集画面においては、ステップＳ１１３で選択された撮影画像のうちの２つの撮影画像が編集可能に表示され、その撮影画像と共に、当該編集入力のツールである「ペン」および「スタンプ」で用いられる編集用画像や線種が表示される。また、入力した画像を消すための「ケシゴム」、すでに選択されている背景画像を消すための「背景ケシゴム」、入力操作を１つ前の状態に戻すための「ひとつもどる」、画像入力を最初からやり直すための「はじめから」などのボタンが表示される。なお、編集画面は図５に示される画面に限定されるものではなく、たとえば、さらに編集入力のツールとして「フレーム」や「ライン」などが表示されていてもよい。
【００７８】
ユーザは、これらのボタンをタッチペン１４でタッチすることで使用するツールを選択する。なお、当該写真自動販売機が複数のタッチペン１４を備える場合には、図５に示される編集画面の左右の両方の編集が各々のタッチペン１４で同時になされてもよい。
【００７９】
コンピュータ装置１０１は、撮影された画像と、ユーザに選択された編集用の画像とを、メモリ上のそれぞれ別の画層に展開させ、タブレットディスプレイ１３上にそれら画層を重ねて表示する。それぞれの画層のどちらを上に表示するかは、用途により設定されている。たとえば、編集入力された画像を撮影された画像の前景画像とする場合には、編集入力された画像が上の画層となる。さらに編集入力された画像は、スタンプ画像の層、フレーム画像の層など、それぞれ複数の画層で構成されていてもよい。
【００８０】
編集を行なうための編集入力時間は、予め設定されている。そして、タブレットディスプレイ１３上に残り時間を表示し、カウントダウンを行なう。残り時間が０になると編集入力が終了する。または、画面に用意された「おしまい」ボタンにタッチすることで強制的に終了させることもできる。
【００８１】
ステップＳ１１９などにおいて、タッチペン１４とタブレットディスプレイ１３とを含む入力装置１００で情報を入力する際には、タッチペン１４でタッチされた位置を示す座標の情報がタブレットディスプレイ１３側で検出され、タブレットディスプレイ１３側で指示信号に変換されてコンピュータ装置１０１に入力される。
【００８２】
タブレットディスプレイ１３とタッチペン１４とを含む入力装置１００は、本実施の形態においては上述の電磁誘導方式または静電結合方式を採用した入力装置であるものとする。そこで、図６および図７を用いて、電磁誘導方式を採用した入力装置および静電結合方式を採用した入力装置での、タブレットディスプレイ１３とタッチペン１４の検出方法とについて説明する。これらの方式を採用した入力装置でのタッチペン１４の検出方法は従来より用いられている方法であり、本発明の特徴とするところではない。そのため、特に、タッチペン１４の存在を検出できる検出範囲、およびペンスイッチのオンオフに関して、必要最小限に説明する。
【００８３】
図６は電磁誘導方式を採用した入力装置における動作の仕組みを説明するための概略図である。図６を参照して、タッチペン１４はコイルとコンデンサとからなる共振回路を含む。また、タッチペン１４の先端部にはペン軸１４２０が存在し、ペン軸１４２０はタッチペン１４の長手方向に伸縮して、タッチペン１４内でコンデンサと回路的に連携する。
【００８４】
タブレットディスプレイ１３は、画像などの情報を表示するための液晶パネルと、タッチペン１４の存在を検知するためのセンサコイルを備えるセンサ基板とを含んで構成される。
【００８５】
タブレットディスプレイ１３では、センサ基板上のセンサコイルに一定の電流が流れることでセンサ基板上に磁束が発生する。そのタブレットディスプレイ１３から所定範囲にタッチペン１４を近づけると、センサ基板上に発生した磁束によりタッチペン１４の共振回路が共振し、タッチペン１４のコイルに電流が流れてタッチペン１４側に磁束が発生する。タブレットディスプレイ１３では、所定範囲内にあるタッチペン１４側で発生した磁束により、センサ基板上のセンサコイルに誘導起電圧が発生する。タブレットディスプレイ１３は、この誘導起電圧の発生を検知することにより、タッチペン１４の存在を検知する。また、タブレットディスプレイ１３は、センサ基板上のセンサコイルのうち、周囲と比較して最も誘導起電圧の高い位置を検出することで、この位置をタッチペン１４の指示している位置と検出する。
【００８６】
上述の所定範囲は、タッチペン１４とセンサ基板とが互いに共振することが可能な磁界検出範囲であって、図６においてタブレットディスプレイ１３からの距離Ｈで示されている範囲である。つまり、この磁界検出範囲が、タブレットディスプレイ１３がタッチペン１４の存在および位置を検出することができる検出範囲となる。
【００８７】
さらに、タッチペン１４のペン軸１４２０がタブレットディスプレイ１３に接触し、ペン軸１４２０がタッチペン１４内に押込まれると、ペン軸１４２０は接続される共振回路のコンデンサの容量を変化させる。このことにより共振回路の共振周波数が変化する。入力装置１００では、この共振周波数の変化を検出して、共振周波数の変化に応じてペンスイッチのオンまたはオフの状態を検出する。
【００８８】
次に、図７は静電結合方式を採用した入力装置における動作を仕組みを説明するための概略図である。図７を参照して、タッチペン１４の先端部にはペン軸１４２０が存在し、ペン軸１４２０はタッチペン１４の長手方向に伸縮して、タッチペン１４内で図示されないフォトインタラプタと回路的に連携する。フォトインタラプタは、ペン軸１４２０の伸縮を電位の変化に変換する。また、ペン軸１４２０の先端部は電極となっており、タッチペン１４の長手方向のペン軸１４２０と反対側からは、信号線が伸びている。
【００８９】
タブレットディスプレイ１３は、画像などの情報を表示するための液晶パネルと透明電極とを含んで構成される。
【００９０】
タブレットディスプレイ１３の透明電極に電圧を印加し、そのタブレットディスプレイ１３から所定範囲にタッチペン１４を近づけると、タッチペン１４と透明電極との間に生じる静電容量を介してタッチペン１４側に電位の変化が生じる。タッチペン１４と透明電極との間の静電容量は、タッチペン１４とタブレットディスプレイ１３の透明電極との距離が最短となる位置で最大となるため、タブレットディスプレイ１３は、この静電容量を検出することで、この位置をタッチペン１４の指示している位置と検出する。
【００９１】
上述の所定範囲は、タッチペン１４とセンサ基板との間に静電容量が生じて静電結合する静電結合範囲であって、図７においてタブレットディスプレイ１３からの距離Ｈで示されている範囲である。つまり、この静電結合範囲が、タブレットディスプレイ１３がタッチペン１４の存在および位置を検出することができる検出範囲となる。
【００９２】
さらに、タッチペン１４のペン軸１４２０がタブレットディスプレイ１３に接触し、ペン軸１４２０がタッチペン１４内に押込まれると、ペン軸１４２０が接続されるフォトインタラプタなどの動作により電位が変化する。入力装置１００では、この電位の変化を検出することでペンスイッチのオンまたはオフの状態を検出する。
【００９３】
入力装置１００は、検出されたタッチペン１４の指示している位置（座標）を示す検出信号と、ペンスイッチのオン状態を示す検出信号とをコンピュータ装置１０１に対して出力する。コンピュータ装置１０１では、ペンスイッチがオン状態のときに検出されたタッチペン１４の指示している位置を入力位置と決定して処理に用いる。または、入力装置１００が、ペンスイッチがオン状態のときに検出されたタッチペン１４の指示している位置を入力位置と決定してコンピュータ装置１０１に対して出力してもよい。
【００９４】
なお、本実施の形態にかかる入力装置１００は上述のように電磁誘導方式または静電結合方式を採用した入力装置であって、上述の磁界検出範囲および静電結合範囲を、タブレットディスプレイ１３がタッチペン１４の存在および位置を検出することができる検出範囲として、以下の説明ではまとめて検出範囲と称することとする。
【００９５】
ところで、上に述べたように通常の入力装置１００ではペン軸１４２０でタブレットディスプレイ１３にタッチした場合に、共振周波数の変化や電位の変化を検出してペンスイッチのオン状態を検出する機構となっているが、ペン軸１４２０が押されたままの状態になって、タブレットディスプレイ１３にタッチしていないときにもペンスイッチの状態がオン状態と検出されるように故障する場合がある。そこで、入力装置１００でのスイッチ状態を検出するのに好適なペンスイッチ状態検出装置について以下に説明する。
【００９６】
［実施例１］
第１の実施例における写真自動販売機は、タブレットディスプレイ１３を含んだ図８に示されるようなペンスイッチ状態検出装置２００を備える。本実施例にかかるペンスイッチ状態検出装置２００は、タッチペン１４を挿入する孔２０２が穿孔され、所定位置にタッチペン１４を保持する、タブレットディスプレイ１３と略平行の面を持つ保持部材２０１を、タブレットディスプレイ１３より高さＨ１の位置に備える。
【００９７】
図８に示されるペンスイッチ状態検出装置２００はタブレットディスプレイ１３上に設置された扁平な箱型形状のペンスイッチ状態検出用部材を含むペンスイッチ状態検出装置２００であって、その詳細を図９に示す。図９は、ペンスイッチ状態検出用部材を含むペンスイッチ状態検出装置２００を、孔２０２の直径を含む平面で保持部材２０１に直交する方向に切断した断面の具体例を示す図である。
【００９８】
図９を参照して、ペンスイッチ状態検出装置２００は、ペンスイッチ状態検出用部材である保持部材２０１をタブレットディスプレイ１３から高さＨ１の位置を上面とした位置に備える。保持部材２０１は、タブレットディスプレイ１３までの距離Ｈ１と同じ厚みの部材であって、孔２０２がタブレットディスプレイ１３に達するまで貫通して穿孔されている。また、他の形態として、図１０に示されるように保持部材２０１は、Ｈ１以下の厚みの板状であって、支持部材でタブレットディスプレイ１３から高さＨ１の位置を上面とした位置に保持されてもよい。なお、この場合、ペンスイッチ状態検出装置２００に対して横方向などから孔２０２以外のポイントより保持部材２０１の下にタッチペン１４が挿入されないような防止機構を備えることが好ましい。また、孔２０２にタッチペン１４が挿入された際、その重みや衝撃で保持部材２０１が撓まないような支持機構が備えられることが好ましい。
【００９９】
保持部材２０１からタブレットディスプレイ１３までの距離Ｈ１は、タブレットディスプレイ１３側でタッチペン１４の存在および位置を検出することができる検出範囲であるタブレットディスプレイ１３から距離Ｈ以下である。このような構成とすることで、保持部材２０１でタッチペン１４が保持された状態で、タブレットディスプレイ１３側ではそのタッチペン１４の存在および位置を検出することができる。
【０１００】
保持部材２０１には、タッチペン１４を挿入する孔２０２が穿孔されており、その孔径Ｒ１はタッチペン１４の最大径Ｒ２以下である。このため、孔２０２にタッチペン１４を挿入すると、図９に示されるように、孔径Ｒ１と一致する径の位置でタッチペン１４が保持される。また、タッチペン１４の形状は先（ペン軸１４２０）に向かうほど細くなる形状であるので、図１１に示されるように、孔径Ｒ１をタッチペン１４の最大径Ｒ２と最小径Ｒ３との関係においてＲ３＜Ｒ１＜Ｒ２とすることが好ましい。より具体的には、タッチペン１４の最大径Ｒ２は約１ｃｍ〜２ｃｍで、ペン軸１４２０の直径が約１ｍｍ〜２ｍｍであるので、孔径Ｒ１は、たとえば約５ｍｍ〜２ｃｍ以内で形成することが好ましい。したがって、保持部材２０１の具体的な大きさは、一辺が約２．５ｃｍ〜４ｃｍ程度であることが好ましい。
【０１０１】
保持部材２０１のタブレットディスプレイ１３からの距離Ｈ１は、孔２０２にタッチペン１４を挿入してタッチペン１４を所定位置に保持した際に、そのペン軸１４２０がタブレットディスプレイ１３から０よりも大きい距離Ｈ２を保つ距離である。
【０１０２】
保持部材２０１自体の素材は本発明において限定されるものではないが、タッチペン１４と接触した際にタッチペン１４を傷つけないような柔らかい保護素材や、樹脂やラバーのような滑りにくい素材とすると、タッチペン１４を挿入して動かした場合であってもタッチペン１４やタブレットディスプレイ１３を傷つけず好ましい。また、透明な樹脂とするとその下のタブレットディスプレイ１３も透けて見え、より好ましい。または、保持部材２０１の孔２０２の周囲、つまりタッチペン１４と接触する部分（図９，図１１において丸で示される部分）のみが、タッチペン１４と接触した際にタッチペン１４を傷つけない柔らかい保護素材であってもよい。さらに、その部分に樹脂やラバーなどの滑りにくい部材を採用するとタッチペン１４の保持が確実になりより好ましい。
【０１０３】
また、ペンスイッチ状態検出装置２００のペンスイッチ状態検出用部材は、図８に示される扁平な箱型形状に限定されず、図１２に示されるようなタブレットディスプレイ１３上に設置されたペンホルダー形状であって、その内部の空洞部分にタッチペン１４を格納する形態であってもよい。図１２に示される形態のペンスイッチ状態検出装置２００の詳細を図１３に示す。図１３は、ペンスイッチ状態検出用部材を含むペンスイッチ状態検出装置２００を、ペンホルダー形状のペンスイッチ状態検出装置２００の直径を含む平面で切断した断面の具体例を示す図である。
【０１０４】
図１３を参照して、図１２に示される形態のペンスイッチ状態検出用部材を含むペンスイッチ状態検出装置２００もまた、その内部に孔２０２が穿孔されたペンスイッチ状態検出用部材である保持部材２０１を備え、ペンホルダー形状のペンスイッチ状態検出用部材を含むペンスイッチ状態検出装置２００にタッチペン１４が挿入されると、孔２０２にタッチペン１４が挿入されて、そのペン軸１４２０がタブレットディスプレイ１３から０より大きい距離Ｈ２を保つ所定位置に保持される。
【０１０５】
ペンスイッチ状態検出装置２００はさらに、図１４に示されるように、編集入力操作を行なっている際に見やすい位置にＬＥＤ２０３を備える。コンピュータ装置１０１は、入力装置１００から、ペンスイッチのオン状態を検出したことで入力される指示信号を受取ると、ＬＥＤ２０３を発光させて報知する。このようなＬＥＤ２０３を備えることで、タッチペン１４でタブレットディスプレイ１３をタッチしたときに、入力装置１００からコンピュータ装置１０１に対してこれらの指示信号が入力されていることをＬＥＤ２０３の発光で確認することができる。また、ＬＥＤ２０３に替えて、その旨を報知する表示画面をタブレットディスプレイ１３に表示してもよい。このような報知機能を備えることで、タッチペンのペンスイッチ状態を視覚的に確認でき、タッチペン故障を発見しやすい。
【０１０６】
なお、ペンスイッチ状態検出装置２００はタブレットディスプレイ１３を含むものとし、ペンスイッチ状態検出用部材はタブレットディスプレイ１３上に設置されたタブレットディスプレイ１３上に設置された扁平な箱型形状またはペンホルダー形状であるものとしたが、ペンスイッチ状態検出用部材の設置場所はタブレットディスプレイ１３で上述の編集処理を行なう際に邪魔にならない場所（タブレットディスプレイ１３の隅など）が好ましい。また、ペンスイッチ状態検出用部材はタブレットディスプレイ１３に着脱可能であって、任意の位置に設置できる。
【０１０７】
また、本発明にかかるペンスイッチ状態検出装置２００を、既存の写真自動販売機にも用いることができる。この場合、たとえば前述のお絵描き操作中にペンスイッチ状態検出用部材を既存の写真自動販売機のタブレットディスプレイ上に置いて該ペンスイッチ状態検出用部材にタッチペンを挿入し、その状態で該ペンスイッチ状態検出用部材ごとタッチペンで線を描くなどのお絵描き操作をして、お絵描き操作された線が入力された場合には、該タッチペンが故障していることを容易に知ることができる。
【０１０８】
ペンスイッチ状態検出装置２００が上述の構成であることで、ペンスイッチ状態検出装置２００は、ペンスイッチ状態検出用部材である保持部材２０１が、挿入されたタッチペン１４をそのペン軸１４２０がタブレットディスプレイ１３にタッチしない位置であって、タブレットディスプレイ１３の検出範囲内に保持する。このような位置にタッチペン１４が保持されることで、タブレットディスプレイ１３では、タッチペン１４がタブレットディスプレイ１３にタッチしていない状態でのペンスイッチの状態を検出することができる。つまり、タッチペン１４が故障していない場合、保持部材２０１に保持された状態ではペンスイッチはオフ状態である。そのため、ＬＥＤ２０３は発光しない。一方、タッチペン１４が故障してペン軸１４２０が押されたままの状態となっている場合、入力装置１００では、保持部材２０１に保持された状態でペンスイッチのオン状態が検出される。そのため、ＬＥＤ２０３が発光する。
【０１０９】
ペンスイッチ状態検出装置２００が上述のように機能することで、ユーザや写真自動販売機の設置者は、ペンスイッチ状態検出装置２００にタッチペン１４を挿入するだけで、タッチペン１４のペンスイッチ状態の確認を容易に行なうことができる。このため、タッチペン１４の故障を素早く発見することができ、素早く対処することができる。また、ペンスイッチ状態検出装置２００のペンスイッチ状態検出用部材である保持部材２０１は、タッチペン１４のペン軸１４２０からタブレットディスプレイ１３までの距離Ｈ２を一定に保つことができ、誰でも容易に同じ精度でタッチペン１４のペンスイッチ状態を検出できる。
【０１１０】
さらに、ペンスイッチ状態検出装置２００におけるタッチペン１４のペンスイッチ状態の確認は、たとえば編集入力操作など、タッチペン１４を用いたプレイ中に随時行なわれてもよいし、上述のステップＳ１０１のタイトルデモ表示中などのタッチペン１４を用いて入力しない場面に行なわれてもよい。このようにすることで、プレイ中にタッチペン１４の動作がおかしいと気付いたユーザがペンスイッチ状態の確認を容易に行なってその故障を知らせることが可能になる。また、プレイを実行しておらずタイトルデモ表示中に、ステップＳ１０５のテストモードの起動を行なうまでもなく、設置者が容易にタッチペン１４のペンスイッチ状態の確認を行なうことができる。このことは、タッチペンの故障への適切な対処を可能にし、常にタッチペンを正常な状態に保ってユーザに所望の写真を提供することを可能にする。
【０１１１】
なお、ペンスイッチ状態検出用部材が設置されるタブレットディスプレイ１３上の位置（座標）が予め決められている場合には、コンピュータ装置１０１は、入力装置１００から予め決められた所定の位置であるその座標を示す指示信号を受取ったときに、自動的にタッチペン１４の故障を判定することができる。そのため、ＬＥＤ２０３やタブレットディスプレイ１３の表示、またはスピーカ２３からの音声出力などで、タッチペン１４の故障を報知することができる。
【０１１２】
さらに、タッチペン１４がタブレットディスプレイ１３にタッチしていない状態でのペンスイッチの状態は、タブレットディスプレイ１３側以外で検出されてもよい。たとえば、タブレットディスプレイ１３を含む面でタブレットディスプレイ１３以外の場所や、タブレットディスプレイ１３を含む面以外の面に、タブレットディスプレイ１３の検出範囲よりも広い検出範囲である検出装置を備え、タッチペン１４がタブレットディスプレイ１３にタッチしていない状態でのペンスイッチの状態を監視してもよい。
【０１１３】
［変形例１］
なお、ペン軸１４２０がタブレットディスプレイ１３にタッチしない位置であって、タブレットディスプレイ１３の検出範囲内にタッチペン１４を保持する他の方法として、図１５に示されるように、タッチペン１４をタブレットディスプレイ１３に横向きに置いてもよい。このとき、入力装置１００が電磁誘導方式を採用した入力装置である場合、タッチペン１４側に発生した磁束の方向がタブレットディスプレイ１３のセンサ基板上のセンサコイルに添う方向となるとタブレットディスプレイ１３で誘導起電圧の発生を検知できない場合もあるので、たとえば、タッチペン１４側で発生する磁束量を大きくする、または、タッチペン１４のコイルを振り子状に鉛直方向に可動に備える、などとして検知可能な構成とすることが好ましい。また、入力装置１００が静電結合方式を採用した入力装置である場合にも同様の問題が考えられ、ペン軸１４２０の先端部だけでなくペン軸１４２０の周囲まで及ぶように電極を設けることで検知可能な構成とすることが好ましい。
【０１１４】
このようにすることでも、タブレットディスプレイ１３側で、同様に、タッチペン１４がタブレットディスプレイ１３にタッチしていない状態でのペンスイッチの状態を監視することができる。この場合、コンピュータ装置１０１は入力装置１００からタブレットディスプレイ１３のいずかの座標を示す指示信号を受取っても自動的にタッチペン１４の故障を判定することができる。つまり、タブレットディスプレイ１３のどの位置にタッチペン１４を横向きにおいてもよく、その場合、上述の予め決められた所定の位置には、タブレットディスプレイ１３状の全ての位置が該当する。または、後述する案内において「この丸の中にペン先が入るようにタッチペンを横に置いてね！」などとタブレットディスプレイ上の位置を指定した場合には、その指定した位置が上述の所定の位置となる。
【０１１５】
また、上述のペンスイッチ状態検出装置２００が、タッチペン１４をタブレットディスプレイ１３に対して横向きに位置させるように保持するペンスイッチ状態検出用部材である保持部材２０１を備えてもよい。この場合、保持部材２０１は、タッチペン１４をタブレットディスプレイ１３に対して横向きに固定するようなホルダ型や、単に筐体１に直接設けられた溝であってもよく、孔２０２によるタッチペン１４の保持は必要としない。
【０１１６】
なお、その場合、図１６に示されるように、タッチペン１４をタブレットディスプレイ１３に横向きに置くように誘導する案内がなされていることが好ましい。このような案内は、筐体１の目に付きやすい位置に貼付されていてもよいし、タブレットディスプレイ１３に表示されてもよいし、スピーカ２３から音声出力されてもよい。そして、たとえばその案内がタブレットディスプレイ１３などから出力されている間や、操作ボタン５１の所定のボタンを押した後やなどの所定のタイミングで、タッチペン１４のペンスイッチ状態の確認を行なう。
【０１１７】
［変形例２］
ペンスイッチ状態検出用部材の設置場所はタブレットディスプレイ１３上に限定されず、図１７に示されるように、タブレットディスプレイ１３以外の、タブレットディスプレイ１３を含む面でタブレットディスプレイ１３以外の場所であってもよい。このようにすることで、タブレットディスプレイ１３の表示がペンスイッチ状態検出用部材で遮られることなく、編集入力操作中を行ないやすくなる。また、このようなペンスイッチ状態検出用部材を、タッチペン１４を使用されていないときに置くタッチペン置場に兼用することもできる。
【０１１８】
その場合のペンスイッチ状態検出装置２００は、電磁誘導方式を採用した入力装置におけるペンスイッチの状態を検出するものである場合には、図１８に示されるように、タブレットディスプレイ１３に替えて、タブレットディスプレイ１３が備える共振周波数の変化を検出する機能を持つ検知部２０４を、挿入されたタッチペン１４のペン軸１４２０の先に位置する箇所に含む。また、この場合の写真自動販売機の機能ブロック図のうちの、かかる部分の機能ブロック図を図１９に示す。図１９に示されるように、第２の変形例においては、制御部１０２は検知部２０４から入力される共振周波数の変化の検出信号に基づいてペンスイッチのオン状態を検出する。そして、検出結果をコンピュータ装置１０１に出力する。コンピュータ装置１０１では、ペンスイッチのオン状態が検出された旨の検出結果を制御部１０２から受取ると、ＬＥＤ２０３の発光を制御する。なお、上述のように、ＬＥＤ２０３に替えてタブレットディスプレイ１３での表示を行なう場合には、ＬＥＤ２０３は含まれなくてもよい。
【０１１９】
また、検知部２０４の位置（座標）が予め決められている場合にも、上述と同様に、コンピュータ装置１０１は、入力装置１００から予め決められた所定の位置である検知部２０４の座標を示す指示信号を受取ったときに、自動的にタッチペン１４の故障を判定することができる。
【０１２０】
このようにペンスイッチ状態検出装置２００をタブレットディスプレイ１３上以外に備える場合、コンピュータ装置１０１は制御部１０２からペンスイッチのオン状態を示す検出結果を受取ると、自動的にタッチペン１４の故障を判定することができる。そのため、ＬＥＤ２０３やタブレットディスプレイ１３の表示、またはスピーカ２３からの音声出力などで、タッチペン１４の故障を報知することができる。
【０１２１】
［実施例２］
第２の実施例におけるペンスイッチ状態検出装置２００は写真自動販売機とは別個の携帯型の装置であって、その概略は図２０および図２１に示される。第２の実施例にかかるペンスイッチ状態検出装置２００は、図２０（ａ）に示されるように、円筒形または略円筒形の筐体２１０の一方の端面に、タッチペン１４を挿入する挿入孔２１１が穿孔されている。また、図２０（ｂ）に示されるように、挿入孔２１１の周囲には、タッチペン１４以外のごみなどの異物が入込むことを防止するため、菊割ゴムなどのゴムや樹脂の扉が備えられることが好ましい。
【０１２２】
また、図２１を参照して、筐体２１０の内部には、ペンスイッチ状態検出装置２００全体に電力を供給する電源２１２と、電源２１２からの電力の供給を制御する電源スイッチ２１３と、制御基盤２１４と、電源２１２から電力が供給されていることを報知する電源ランプ２１６と、タッチペン１４の動作状態を報知するＬＥＤ２１７とが格納される。さらに、ペンスイッチ状態検出装置２００が電磁誘導方式を採用した入力装置におけるタッチペン１４のペンスイッチ状態を検出するものである場合には、ペンスイッチ状態検出装置２００の内部に上述の端面と相対して設けられた面に、共振周波数の変化を検出する機能を持つ検知部２１５が備えられる。また、ペンスイッチ状態検出装置２００が静電結合方式を採用した入力装置におけるタッチペン１４のペンスイッチ状態を検出するものである場合には、検知部２１５は、タッチペン１４において検出される電位の変化をタッチペン１４から取得して制御基盤２１４に出力する。なお、タッチペン１４自身に、タッチペン１４において検出される電位の変化を報知する機能、つまりペンスイッチオン状態を報知するＬＥＤなどの装置が備えられる場合には、ペンスイッチ状態検出装置２００は、検知部２１５を不要とする構成であってもよい。
【０１２３】
挿入項２１１の孔径は、実施例１で述べた保持部材２０１に穿孔された孔２０２の孔径Ｒ１と同様にして決められる。すなわち、挿入孔２１１の孔径はタッチペン１４の最大径よりも小さく、タッチペン１４を挿入孔２１１に挿入すると、そのペン軸１４２０がタッチされない状態であって、検知部２１５の検出範囲内に保持される。
【０１２４】
ペンスイッチ状態検出装置２００が電磁誘導方式を採用した入力装置におけるタッチペン１４のペンスイッチ状態を検出するものである場合、検知部２１５は、共振周波数の変化を検出し、検出信号を制御基盤２１４に出力する。また、ペンスイッチ状態検出装置２００が静電結合方式を採用した入力装置におけるタッチペン１４のペンスイッチ状態を検出するものである場合、検知部２１５タッチペン１４において検出される電位の変化をタッチペン１４から取得して検出信号を制御基盤２１４に出力する。制御基盤２１４は、検知部２１５から検出信号を受取るとＬＥＤ２１７を発光させる。
【０１２５】
さらに図２２に、ペンスイッチ状態検出装置２００の機能構成の具体例を示す。図２２を参照して、ペンスイッチ状態検出装置２００は、上述の検知部２１５などから構成され共振周波数の変化を検出する、またはタッチペン１４において検出される電位の変化をタッチペン１４から取得する検出部３０１と、ペンスイッチ状態検出装置２００全体を制御する制御部３０２と、電源ランプ２１６やＬＥＤ２１７などから構成される表示部３０３とを含んで構成され、制御部３０２は、図示されない記憶装置に記憶されるプログラムを読出して各部に制御信号を出力して機能させる。すなわち、制御部３０２は、検出部３０１から検出信号を受信して表示部３０３に制御信号を出力し、ペンスイッチがオン状態である旨を表示させる。また、電源スイッチ２１３に制御信号を出力して、電源２１２からの電源の供給を制御させる。
【０１２６】
このような第２の実施例にかかるペンスイッチ状態検出装置２００においても、検知部２１５で、タッチペン１４がタッチしていない状態でのペンスイッチの状態を監視する。そして、タッチペン１４が挿入孔２１１に挿入された状態、つまりタッチペン１４がタッチしていない状態でペンスイッチがオン状態であることを検出すると、ペンスイッチ状態検出装置２００の制御部３０２はＬＥＤ２１７を発光させて、タッチペン１４が故障していることを報知する。そのため、このようなペンスイッチ状態検出装置２００を用いることで、タッチペン１４の故障を容易に検出することができる。
【０１２７】
なお、第２の実施例にかかるペンスイッチ状態検出装置２００は、写真自動販売機の機種などに関わらず広く一般のタッチペンのペンスイッチ状態を検出することができるが、タッチペンによっては、特定の入力装置１００において用いられることを想定してタブレットディスプレイ１３に対して識別情報を出力し、入力装置１００においてその識別情報が承認された場合にのみその入力を有効とする構成である場合がある。そのようなタッチペンであっても、第２の実施例にかかるペンスイッチ状態検出装置２００はその識別情報を無効とする機能を備えて、そのペンスイッチ状態を検出することが好ましい。
【０１２８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】写真自動販売機を筐体１の正面（撮影操作を行なう面）から見たときの外観の具体例を示す図である。
【図２】写真自動販売機を筐体１の背面（お絵描き操作を行なう面）から見たときの外観の具体例を示す図である。
【図３】写真自動販売機の機能ブロック図である。
【図４】写真自動販売機での処理を示すフローチャートである。
【図５】編集画面の具体例を示す図である。
【図６】タッチペン１４の構成の具体例を示す図である。
【図７】タブレットディスプレイ１３でのタッチペン１４の検出方法の概要を示す図である。
【図８】第１の実施例にかかるペンスイッチ状態検出装置２００の具体例を示す図である。
【図９】第１の実施例にかかるペンスイッチ状態検出装置２００の詳細を示す図である。
【図１０】第１の実施例にかかるペンスイッチ状態検出装置２００の詳細を示す図である。
【図１１】孔２０２の孔径Ｒ１とタッチペン１４の最大径Ｒ２と最小径Ｒ３との関係を示す図である。
【図１２】第１の実施例にかかるペンスイッチ状態検出装置２００の具体例を示す図である。
【図１３】第１の実施例にかかるペンスイッチ状態検出装置２００の詳細を示す図である。
【図１４】ＬＥＤ２０３の備えられる位置の具体例を示す図である。
【図１５】タブレットディスプレイ１３とタッチペン１４との位置関係の具体例を示す図である。
【図１６】タッチペン１４をタブレットディスプレイ１３に横向きに置くように誘導する案内の具体例を示す図である。
【図１７】ペンスイッチ状態検出装置２００の設置場所の他の具体例を示す図である。
【図１８】第１の実施例の第２の変形例にかかるペンスイッチ状態検出装置２００の詳細を示す図である。
【図１９】第１の実施例の第２の変形例にかかる写真自動販売機の、かかる部分の機能ブロック図である。
【図２０】第２の実施例にかかるペンスイッチ状態検出装置２００を、一方の端面から見た図である。
【図２１】第２の実施例にかかるペンスイッチ状態検出装置２００の概略を示す図である。
【図２２】第２の実施例にかかるペンスイッチ状態検出装置２００の機能構成の具体例を示す図である。
【図２３】従来の画像入力装置において、不具合が発生しているタッチペンで描いた線画の具体例を示す図である。
【符号の説明】
１  写真自動販売機の筐体、４  撮影ブース、９  プリント取出口、１０  印刷中ＬＥＤ、１１  印刷エラーＬＥＤ、１２  プリンタ、１３  タブレットディスプレイ、１４  タッチペン、１８ａ，１８ｂ，１８ｃ  照明ボックス、２１  カメラ、２２  モニタ、２３，２３ａ，２３ｂ  スピーカ、２５  タイマ、２６コイン投入口、２８  フロントドア、２９  電源スイッチ、３０  照明装置、５１  操作ボタン、１００  入力装置、１０１  ＰＣ、１０２  制御部、１０３電源制御部、１０４  ＵＰＳ、１０５  サービスパネル、１０７  コイン制御部、２００  ペンスイッチ状態検出装置、２０１  保持部材、２０２  孔、２０３，２１７  ＬＥＤ、２０４  検知部、２１０  ペンスイッチ状態検出装置の筐体、２１１  挿入孔、２１２  ペンスイッチ状態検出装置の電源、２１３  ペンスイッチ状態検出装置の電源スイッチ、２１４  制御基盤、２１５  検知部、２１６  電源ランプ、３０１  検出部、３０２  ペンスイッチ状態検出装置の制御部、３０３  表示部、１４２０  ペン軸。
【図１】
2005038090.tif 000003
【図２】
2005038090.tif 000004
【図３】
2005038090.tif 000005
【図４】
2005038090.tif 000006
【図５】
2005038090.tif 000007
【図６】
2005038090.tif 000008
【図７】
2005038090.tif 000009
【図８】
2005038090.tif 000010
【図９】
2005038090.tif 000011
【図１０】
2005038090.tif 000012
【図１１】
2005038090.tif 000013
【図１２】
2005038090.tif 000014
【図１３】
2005038090.tif 000015
【図１４】
2005038090.tif 000016
【図１５】
2005038090.tif 000017
【図１６】
2005038090.tif 000018
【図１７】
2005038090.tif 000019
【図１８】
2005038090.tif 000020
【図１９】
2005038090.tif 000021
【図２０】
2005038090.tif 000022
【図２１】
2005038090.tif 000023
【図２２】
2005038090.tif 000024
【図２３】
2005038090.tif 000025